(57)【特許請求の範囲】
【請求項１】
底面部の端から側面部が立ち上げられて形成された容器本体部と、
カップ支持孔が形成されて前記側面部の上端に連ねられた上面片部、この上面片部の先端に連ねられた立面片部、この立面片部の先端に連ねられた補助片部、を備え、
前記立面片部の両側端における前記容器本体部の深さ方向の途中には係止片部が形成され、前記側面部のうち前記底面部との境界から離れた前記容器本体部の深さ方向の途中には上記係止片部が係止される係止孔部が形成されており、
前記上面片部、前記立面片部、および前記補助片部のすべてを内側に向けて折ることで、前記上面片部は前記底面部と対面し、前記立面片部は前記底面部に立たせられると共に前記係止片部は前記側面部の前記係止孔部に係止され、前記補助片部は前記底面部に接触し、
前記容器本体部に、カップホルダ部と、前記立面片部によって区切られる食品収容部とが形成され、前記底面部との境界から離れた前記容器本体部の深さ方向の途中に前記係止孔部が形成されていることにより、当該係止孔部から飲料や流動物が前記容器本体部の外に漏洩することを防止する、
ことを特徴とする紙製容器。
【請求項２】
前記係止片部と前記係止孔部とが、前記容器本体部の深さ方向に長く形成された、
ことを特徴とする請求項１に記載された紙製容器。
【請求項３】
前記側面部に補助係止片部が形成され、
前記補助係止片部が係止される補助係止孔部が、前記上面片部の両側端に連ねられた側面片部に形成され、
前記側面片部が山折りされたことで、前記側面部と前記側面片部とが重ねられて前記補助係止片部が前記補助係止孔部に係止される、
ことを特徴とする請求項１または請求項２に記載された紙製容器。
【発明の詳細な説明】
【技術分野】
【０００１】
本発明は、食品などが収容される紙製容器に関するものである。
【背景技術】
【０００２】
従来、例えば劇場やアミューズメントパークなどの娯楽施設では軽食や飲料が販売される際、これらが一つにまとめて収容される容器が用いられている。このような容器として、下記特許文献１に記載された紙製トレーがある。この紙製トレーは１枚の板紙に複数の折り目と差込片とが形成され、所定の手順に則って組み立てられる。組み立てられて完成した紙製トレーは、軽食が収容される収容部と、飲料が保持されるホルダ部とが形成されている。
【先行技術文献】
【特許文献】
【０００３】
【特許文献１】登録実用新案第３０２４０９９号公報
【発明の概要】
【発明が解決しようとする課題】
【０００４】
しかし、上記した紙製トレーは、組み立てる際の所定の手順が一見して把握できるものではなく、簡便さに欠ける。
【０００５】
本発明は、上記の実情に鑑みて提案されたものである。すなわち、簡単に組み立てることができる紙製容器の提供を目的とする。
【課題を解決するための手段】
【０００６】
本発明に係る紙製容器は、底面部の端から側面部が立ち上げられて形成された容器本体部と、
カップ支持孔が形成されて前記側面部の上端に連ねられた上面片部、この上面片部の先端に連ねられた立面片部、この立面片部の先端に連ねられた補助片部、を備え、前記立面片部の両側端における前記容器本体部の深さ方向の途中には係止片部が形成され、前記側面部のうち前記底面部との境界から離れた前記容器本体部の深さ方向の途中には上記係止片部が係止される係止孔部が形成されており、前記上面片部、前記立面片部、および前記補助片部のすべてを内側に向けて折ることで、前記上面片部は前記底面部と対面し、前記立面片部は前記底面部に立たせられると共に前記係止片部は前記側面部の前記係止孔部に係止され、前記補助片部は前記底面部に接触し、前記容器本体部に、カップホルダ部と、前記立面片部によって区切られる食品収容部とが形成され、前記底面部との境界から離れた前記容器本体部の深さ方向の途中に前記係止孔部が形成されていることにより、当該係止孔部から飲料や流動物が前記容器本体部の外に漏洩することを防止する、ことを特徴としている。
【０００８】
本発明に係る紙製容器は、前記係止片部と前記係止孔部とが、前記容器本体部の深さ方向に長く形成された、ことを特徴としている。
【０００９】
本発明に係る紙製容器は、前記側面部に補助係止片部が形成され、前記補助係止片部が係止される補助係止孔部が、前記上面片部の両側端に連ねられた側面片部に形成され、前記側面片部が山折りされたことで、前記側面部と前記側面片部とが重ねられて前記補助係止片部が前記補助係止孔部に係止される、ことを特徴としている。
【発明の効果】
【００１１】
本発明に係る紙製容器は上記した構成である。この構成によれば、ホルダ形成片部は上面片部が側面部に対して山折りされ、立面片部が上面片部に対して山折りされ、補助片部が立面片部に対して折られて底面部に接触するので、簡単に組み立てることができる。
【００１２】
本発明に係る紙製容器は、立面片部の両側端に係止片部が形成され、この係止片部が係止される係止孔部が、側面部のうち底面部との境界から離されて形成されている。この構成により、例えば飲料、食品の水分や液体調味料などの流動物は、係止孔部から離れた食品収容部に留まる。したがって、飲料や流動物が係止孔部から紙製容器の外に漏洩するのを防ぐことができる。
【００１３】
本発明に係る紙製容器は、係止片部と係止孔部とが、容器本体部の深さ方向に長く形成されている。この構成により、収容された食品や飲料に作用する重力によって容器本体部が深さ方向に歪む際、係止片部は容器本体部の深さ方向（歪む方向）に長いため、折れ難く係止孔部から外れ難くい。したがって、構造を堅牢にすることができる。
【００１４】
本発明に係る紙製容器は、側面部に補助係止片部が形成され、補助係止片部が係止される補助係止孔部が、上面片部の両側端に連ねられた側面片部に形成され、側面片部が山折りされたことで、側面部と側面片部とが重ねられて補助係止片部が補助係止孔部に係止される。したがって、構造を堅牢にすることができる。
【００１５】
本発明に係る紙製容器は、ホルダ形成片部の上面片部、立面片部、補助片部のすべてが内側に向けて折られたことで、前記上面片部が前記底面部と対面し、前記立面片部が前記底面部に立たせられると共に係止片部が前記第一側面部の前記係止孔部に係止され、前記補助片部が前記底面部に接触して前記カップホルダ部が形成される。したがって、極めて簡単に組み立てることができる。
【図面の簡単な説明】
【００１６】
【図１】本発明の第一実施形態に係る紙製容器を展開した状態を示す展開斜視図である。
【図２】本発明の第一実施形態に係る紙製容器の組み立て過程を示す斜視図である。
【図３】本発明の第一実施形態に係る紙製容器を示す斜視図である。
【図４】本発明の第二実施形態に係る紙製容器を展開した状態を示す展開斜視図である。
【図５】本発明の第二実施形態に係る紙製容器の組み立て過程を示す斜視図である。
【図６】本発明の第二実施形態に係る紙製容器を示す斜視図である。
【発明を実施するための形態】
【００１７】
以下、本発明の第一実施形態に係る紙製容器１０を図面に基づいて説明する。
【００１８】
図１に示されたとおり、第一実施形態に係る紙製容器１０は展開されて組み立てられる前の状態において、容器本体部１３とホルダ形成片部２０とから構成されている。紙製容器１０は組み立てられると、図３に示されたとおりホルダ形成片部２０が折り込まれてカップホルダ部１１に変形すると共に、容器本体部１３の一部に食品収容部１２が形成される。完成された紙製容器１０は、ほぼ直方体であり、食品収容部１２に軽食などの食品（図示省略）が収容され、飲料などのカップ（図示省略）がカップホルダ部１１に収容される。
【００１９】
図１に示されたとおり、容器本体部１３は、四角形の平板状に形成された底面部１４と、この底面部１４の各縁から立ち上げられた側面部とから形成されている。側面部は対面した一対の第一側面部１５と、この第一側面部１５に隣接した一対の第二側面部１６とから構成されている。第一側面部１５はそれぞれ係止孔部１７が形成されている。係止孔部１７は容器本体部１３の深さ方向に長く、第一側面部１５のうち底面部１４との境界から離されて形成されている。片方の第二側面部１６は上端に平板状のホルダ形成片部２０が連ねられている。
【００２０】
ホルダ形成片部２０は、第二側面部１６の上端に連ねられた上面片部２１と、この上面片部２１の先端に連ねられた立面片部２２と、この立面片部２２の先端に連ねられた補助片部２３とから構成されている。上面片部２２は先端までが底面部１４の中間近傍に至る長さであり、複数のカップ支持孔２４が形成されている。立面片部２２は先端までが各側面部１５，１６の高さ（容器本体部１３の深さ）とほぼ同じ長さであり、両側端に係止片部２５が形成されている。係止片部２５は立面片部２２に沿って容器本体部１３の深さ方向に長く、立面片部２２の先端に至らない位置に形成されている。補助片部２３は先端までが立面片部２２の長さのほぼ半分の長さである。なお、上面片部２１および補助片部２３の長さは任意である。立面片部２２の長さは各側面部１５，１６に応じて変更される。
【００２１】
ホルダ形成片部２０は、第二側面部１６と上面片部２１との境界に第一折り目２６が形成され、上面片部２１と立面片部２２との境界に第二折り目２７が形成され、立面片部２２と補助片部２３との境界に第三折り目２８が形成されている。各折り目２６，２７，２８はミシン目が形成されている。
【００２２】
上記のとおり、紙製容器１０が形成されている。
【００２３】
次に、第一実施形態に係る紙製容器１０の組み立て方を説明する。図３に示されたとおり、紙製容器１０はホルダ形成片部２０が山折りされることでカップホルダ部１１が形成されると共に、容器本体部１３に食品収容部１２が形成される。
【００２４】
図２において、第二側面部１６に対して上面片部２１を第一折り目２６で山折りし、上面片部２１に対して立面片部２２を第二折り目２７で山折りし、立面片部２２に対して補助片部２３を第三折り目２８で山折りして、連ねられた各片部２１，２２，２３を互いにほぼ直角にする。上面片部２１を底面部１４にほぼ平行にして対面させ、立面片部２２を底面部１４にほぼ垂直に立たせ、補助片部２３を底面部１４に接触させる。立面片部２２の両側端に形成された係止片部２５を第二側面部１６の係止孔部１７に挿入して係止し、カップホルダ部１１を形成する（図３参照）。係止片部２５と係止孔部１７とは、底面部１４から離れた位置で係止される。カップホルダ部１１が形成されると共に、立面片部２２で区分されて食品収容部１２が形成される。
【００２５】
次に、第一実施形態の効果を説明する。
【００２６】
上記したとおり第一実施形態によれば、ホルダ形成片部２１は、第二側面部１６の上端に連ねられた上面片部２１と、この上面片部２１の先端に連ねられた立面片部２２と、この立面片部２２の先端に連ねられた補助片部２３とから構成されている。上面片部２２は先端までが底面部１４の中間近傍に至る長さである。立面片部２２は先端までが各側面部１５，１６の高さ（容器本体部１３の深さ）とほぼ同じ長さである。
【００２７】
この構成によれば、第二側面部１６に対して上面片部２１を第一折り目２６で山折りし、上面片部２１に対して立面片部２２を第二折り目２７で山折りし、立面片部２２に対して補助片部２３を第三折り目２８で山折りして、連ねられた各片部２１，２２，２３を互いにほぼ直角にしてカップホルダ部１１を形成する。すなわち、上面片部２１、立面片部２２、および補助片部２３の折り込み方向が山折りに統一される。したがって、簡単に組み立てることができる。なお、補助片部２３を第三折り目２８で谷折りした場合であっても、その構造は堅牢である。
【００２８】
第一実施形態によれば、第一側面部１６の係止孔部１７は容器本体部１３の深さ方向に長く、第一側面部１５のうち底面部１４との境界から離されて形成されている。立面片部２２の係止片部２５は立面片部２２に沿って容器本体部１３の深さ方向に長く、立面片部２２の先端に至らない位置に形成されている。係止片部２５と係止孔部１７とは、底面部１４から離れた位置で係止される。この構成により、例えば飲料、食品の水分や液体調味料などの流動物は、係止孔部２５から離れた食品収容部１２に留まる。したがって、飲料や流動物が係止孔部２５から紙製容器１０の外に漏洩するのを防ぐことができる。
【００２９】
第一実施形態では、第一側面部１５の係止孔部１７は容器本体部１３の深さ方向に長く形成されている。立面片部２２の係止片部２５は、立面片部２２に沿って容器本体部１３の深さ方向に長く形成されている。この構成により、収容された食品や飲料に作用する重力によって容器本体部１３が深さ方向に歪む際（図３二点鎖線参照）、係止片部２５は容器本体部１３の深さ方向（歪む方向）に長いため、折れ難く係止孔部１７から外れ難くい。したがって、構造を堅牢にすることができる。
【００３０】
次に、本発明の第二実施形態に係る紙製容器３０を図面に基づいて説明する。なお、以下のでは第一実施形態と異なる構成についての説明がされ、同じ構成についての説明が省略されている。
【００３１】
図４に示されたとおり、第二実施形態に係る紙製容器３０は、第一側面部３５に補助係止片部３１が形成されている。補助係止片部３１は第一側面部３５に形成された半円形状の切り込みにより、内側にフラップ可能に形成されている。補助係止片部３１は、第一側面部３５のうち底面部３４との境界から離されて形成されている。
【００３２】
上面片部３６の両側端は、側面片部３２が形成されている。側面片部３２は先端までが側面部３５の高さ（容器本体部の深さ）とほぼ同じ長さであり、補助係止孔部３３が形成されている。補助係止孔部３３は、側面片部の３２先端に至らない位置に形成されている。側面片部３２と上面片部３６との境界に第四折り目２９が形成され、この第四折り目２９はミシン目が形成されている。なお、他の構成は紙製容器１０と同じである。
【００３３】
次に、第二実施形態に係る紙製容器の組み立て方を説明する。
【００３４】
図５において、上面片部３６に対して側面片部３２を第四折り目２９で山折りし、両片部３６，３２を互いにほぼ直角にする。図５において、側面片部３２を内側にして第二側面部３７に対面させると共に、補助係止孔部３３の位置に補助係止片部３１の位置を合わせる。この状態で、補助係止片部３１をフラップさせて内側に押し込み、補助係止孔部３３に挿入して係止する。補助係止片部３１と補助係止孔部３３とは、底面部３４から離れた位置で係止される（図６参照）。
【００３５】
次に、第二実施形態の効果を説明する。
【００３６】
上記したとおり第二実施形態によれば、第一側面部３５に形成された補助係止片部３１は、第一側面部３５に形成された半円形状の切り込みにより、内側にフラップすることができる。上面片部３６の両側端は側面片部３２が形成され、側面片部３２に補助係止孔部３３が形成されている。側面片部３２を内側にして第二側面部３７に対面させると共に、補助係止孔部３３の位置に補助係止片部３１の位置を合わせる。この状態で、補助係止片部３１をフラップさせて内側に押し込み、補助係止孔部３３に挿入して係止する。この構成により、係止片部２５と係止孔部１７、および補助係止片部３１と補助係止孔部３３から二組の係止構造でカップホルダ部１１が形成される。したがって、構造を堅牢にすることができる。
【００３７】
上記した本発明の第一、第二実施形態は、二つのカップ支持部が形成されているが、一つまたは三つ以上であってもよい。カップ支持孔の形状は、円形、四角形、または多角形などカップの形状に合わせて変更される。カップ支持孔の大きさなどに応じてカップホルダ部の大きさが変更される。
【００３８】
以上、本発明の実施形態を詳述したが、本発明は上記実施形態に限定されるものではない。そして本発明は、特許請求の範囲に記載された事項を逸脱することがなければ、種々の設計変更を行うことが可能である。
【符号の説明】
【００３９】
１０，３０        紙製容器
１１              カップホルダ部
１２              食品収容部
１３              容器本体部
１４，３４        底面部
１５，３５        第一側面部（側面部）
１６，３７        第二側面部（側面部）
１７              係止孔部
２０              ホルダ形成片部
２１，３６        上面片部
２２              立面片部
２３              補助片部
２４              カップ支持孔
２５              係止片部
２６              第一折り目
２７              第二折り目
２８              第三折り目
２９              第四折り目
３１              補助係止片部
３２              側面片部
３３              補助係止孔部
【要約】
【課題】簡単に組み立てることができる紙製容器を提供する。
【解決手段】カップが支持されるカップ支持孔２４が形成されて第二側面部１６の上端に連ねられた上面片部２１、食品収容部１２の深さと略同じ大きさに形成されて両側端に係止片部２５が形成され、上面片部２１の先端に連ねられた立面片部２２、立面片部２２の先端に連ねられた補助片部２３、からホルダ形成片部２０を形成し、上面片部２１および立面片部２２を内側に折り込んで紙製容器１０を構成する。
【選択図】図１【図１】
0005549960.tif 000002
【図２】
0005549960.tif 000003
【図３】
0005549960.tif 000004
【図４】
0005549960.tif 000005
【図５】
0005549960.tif 000006
【図６】
0005549960.tif 000007